(57)【要約】【課題】シャーシに対するシリンダの傾きを高精度で、かつ少ない部品点数、低コストで実現することを目的とする。【解決手段】シャーシ１に設けられた第１のメネジ部１ａと、シャーシ１に設けられた樹脂部５と、樹脂部５に設けられた第２のメネジ部５ａと、第１のメネジ部１ａと第２のメネジ部５ａに螺合する高さ調整ネジ４を備え、高さ調整ネジ４の一端部４ａがシリンダ２に当接することによって、高さ調整ネジの調整により高精度でシャーシに対するシリンダの取付けを実現できる。また、樹脂部５の第２のメネジ部５ａによって高さ調整ネジ４のガタが殺されているため振動等の外力が加わっても変化しない高精度のシリンダ２の傾きを実現できる。また、樹脂部５と高さ調整ネジ４を複数箇所設けることにより、自由な方向のシャーシ１に対するシリンダ２の傾きを調整することができる。【選択図】図１
2005228411.tif 000002
【特許請求の範囲】
【請求項１】
カセットから引き出したテープを回転ヘッドを搭載したシリンダに巻回して信号の入出力を行う磁気記録再生装置であって、前記シリンダが設けられたシャーシと、Ｎは正の整数であってネジを用いたＮ個の高さ調整手段を前記シャーシに備え、前記Ｎ個の高さ調整手段の一端部が前記シリンダに当接することを特徴とする磁気記録再生装置。
【請求項２】
高さ調整手段は、シャーシに設けられた第１のメネジ部と、前記シャーシに設けられた弾性体と、前記弾性体に設けられた穴部と、前記穴部を貫通挿入され前記第１のメネジ部に螺合する高さ調整ネジを備え、弾性体の一端部が前記シリンダに当接することを特徴とする請求項１記載の磁気記録再生装置。
【請求項３】
高さ調整手段は、シャーシに設けられた穴部と、前記シャーシに設けられた弾性体と、前記弾性体に設けられた第１のメネジ部と、前記穴部を貫通挿入され前記第１のメネジ部に螺合する高さ調整ネジを、弾性体の一端部が前記シリンダに当接することを特徴とする請求項１記載の磁気記録再生装置。
【請求項４】
高さ調整手段はシャーシに設けられた第１のメネジ部と、前記シャーシと一体に設けられた樹脂部と、前記樹脂部に設けられた第２のメネジ部と、前記第１と第２のメネジ部に羅合する高さ調整ネジとを備え、高さ調整ネジの一端部が前記シリンダに当接することを特徴とする請求項１記載の磁気記録再生装置。
【発明の詳細な説明】
【技術分野】
【０００１】
本発明は、回転ヘッドを搭載したシリンダにテープを所定の角度巻回して、信号の入出力を行う磁気記録再生装置に関するものである。
【背景技術】
【０００２】
近年、ＶＴＲ等に用いられる磁気記録再生装置は、小型化、少部品化、低価格化が進んでいる。
【０００３】
以下、従来の磁気記録再生装置について説明する。図４は、従来の磁気記録再生装置のメインシャーシユニットの平面図である。図４において、２１はメインシャーシで、シリンダベース２８が、３点２８ｃでメインシャーシ２１にねじ止めされる。３つの２８ｄはシリンダ止め用ねじ穴で、このシリンダベース２８上に回転ヘッドシリンダを載せ、裏面からこの穴を用いてシリンダをねじ止めする。
【０００４】
３つの２８ｅはシリンダベース２８上に設けられた凸部で、シリンダの下面に、２８ｅの上面が接して、シリンダのメインシャーシ２１に対する傾きを決める。シリンダベース上の２つの突起２８ｆは、シリンダの下面に設けられた２つの穴部（図示されず）に係合してシリンダのメインシャーシ２１に対する位置を決める。
【０００５】
メインシャーシ２１に対するシリンダの位置や傾きは、テープの走行安定性を決定するため非常に高精度で実現されなければならない。
【特許文献１】特開平１１−３２８６３８号公報
【発明の開示】
【発明が解決しようとする課題】
【０００６】
しかしながら従来の構成では、メインシャーシ２１に対するシリンダの位置や傾きは、メインシャーシ２１とシリンダベース２８の部品精度の積算によって決定されるため、精度が出しにくく、また、各部品の精度を向上せねばならず、部品が高価格になるという問題点を有していた。また、シリンダベース等の部品により、小型化が阻害されるという問題点を有していた。
【０００７】
本発明は、上記従来の問題点を解決するもので、ネジを用いた高さ調整手段をシャーシに設けることで、簡単な構成で、高精度で、小型で、少部品点数の磁気記録再生装置を提供することを目的とする。
【課題を解決するための手段】
【０００８】
この目的を達成するために、本発明の磁気記録再生装置は、シリンダが設けられたシャーシと、Ｎは正の整数であって、ネジを用いたＮ個の高さ調整手段をシャーシに備え、Ｎ個の高さ調整手段の一端部がシリンダに当接するという構成を有している。
【０００９】
この構成により、ネジを用いたＮ個の高さ調整手段によって簡単な構成でシャーシに対するシリンダの傾き精度を調整することにより、高精度で、小型で、少部品点数の磁気記録再生装置が得られる。
【発明の効果】
【００１０】
以上のように本発明は、Ｎは正の整数であって、ネジを用いたＮ個の高さ調整手段をシャーシに備え、Ｎ個の高さ調整手段の一端部がシリンダに当接することにより、高精度でシャーシに対するシリンダの取付け、調整が実現できる。また、振動等の外力が加わっても変化しない高精度のシリンダの傾きを実現できる。また、自由な方向に対して、シャーシに対するシリンダの傾きを調整することができる。また、シリンダを取付けるためのシリンダベースを必要としないため装置の小型化が実現でき、また、安価でかつ少部品点数で、低価格の磁気記録再生装置が実現できるという優れた効果が得られる。
【発明を実施するための最良の形態】
【００１１】
本発明の請求項１に記載の発明は、カセットから引き出したテープを回転ヘッドを搭載したシリンダに巻回して信号の入出力を行う磁気記録再生装置であって、前記シリンダが設けられたシャーシと、Ｎは正の整数であって、ネジを用いたＮ個の高さ調整手段を前記シャーシに備え、前記Ｎ個の高さ調整手段の一端部が前記シリンダに当接することを特徴としたものであり、ネジを用いたＮ個の高さ調整手段によって簡単な構成でシャーシに対するシリンダの傾き精度を調整することにより、高精度で、小型で、少部品点数で、低価格の磁気記録再生装置が得られるという作用を有する。
【００１２】
本発明の請求項２に記載の発明は、高さ調整手段は、シャーシに設けられた第１のメネジ部と、前記シャーシに設けられた弾性体と、前記弾性体に設けられた穴部と、前記穴部を貫通挿入され前記第１のメネジ部に螺合する高さ調整ネジを備え、弾性体の一端部が前記シリンダに当接することを特徴としたものであり、高さ調整ネジを回転させることによってシリンダと当接する弾性体もしくは高さ調整ネジのシャーシに対する高さが変化することにより、シャーシに対するシリンダの傾き精度を調整することができ、また弾性体によってネジのガタつきが殺されることにより、高精度で、小型で、少部品点数で、低価格の磁気記録再生装置が得られるという作用を有する。
【００１３】
本発明の請求項３に記載の発明は、高さ調整手段は、シャーシに設けられた穴部と、前記シャーシに設けられた弾性体と、前記弾性体に設けられた第１のメネジ部と、前記穴部を貫通挿入され前記第１のメネジ部に螺合する高さ調整ネジを、弾性体の一端部が前記シリンダに当接することを特徴としたものであり、高さ調整ネジを回転させることによってシリンダと当接する弾性体のシャーシに対する高さが変化することにより、シャーシに対するシリンダの傾き精度を調整することができ、また弾性体によってネジのガタつきが殺されることにより、高精度で、小型で、少部品点数で、低価格の磁気記録再生装置が得られるという作用を有する。
【００１４】
本発明の請求項４に記載の発明は、高さ調整手段はシャーシに設けられた第１のメネジ部と、前記シャーシと一体に設けられた樹脂部と、前記樹脂部に設けられた第２のメネジ部と、前記第１と第２のメネジ部に羅合する高さ調整ネジとを備え、高さ調整ネジの一端部が前記シリンダに当接することを特徴としたものであり、高さ調整ネジを回転させることによってシリンダと当接する高さ調整ネジのシャーシに対する高さが変化することにより、シャーシに対するシリンダの傾き精度を調整することができ、また樹脂によってネジのガタつきが殺されることにより、高精度で、小型で、少部品点数で、低価格の磁気記録再生装置が得られるという作用を有する。
【００１５】
以下、本発明の実施の形態について、図１から図３を用いて説明する。
【００１６】
（実施の形態１）
本発明の実施の形態１の磁気記録再生装置において特徴的な回転ヘッドを備えたシリンダのシャーシへの取り付け部の構成を説明する。
【００１７】
図１は、本発明の実施の形態１の磁気記録再生装置のシリンダのシャーシへの取り付け部の断面図で、同図（ａ）は側面から見た断面図、同図（ｂ）はシリンダにおける弾性体の一端部および凸部の当接位置を説明するための平面図、同図（ｃ）は（ｂ）と同様で斜め下方向から見た斜視図ある。図１において、１はシャーシで、２は回転ドラムや固定ドラムからなる複数のシリンダを同軸に配されたシリンダで、図示は下シリンダを示している。３はシャーシ１とシリンダ２との間に配された弾性体で、３ｅ部でシャーシ１にスポット溶接により固定されている。１ａはシャーシ１に設けられたメネジ部で、３ａは弾性体３に設けられた孔部である。４は高さ調整ネジで、弾性体３の孔部３ａを貫通した後、メネジ部１ａに螺合している。１ｂはシャーシ１に設けられた凸部であり、シリンダ２の下面に接している。弾性体３の一端部３ｂもシリンダ２の下面に接している。
【００１８】
図示していないが、弾性体３および高さ調整ネジ４は、シリンダ２の下部にもう一組あって（図１（ｂ）の３ｂ−１と３ｂ−２に示す）、そこでも弾性体３の一端部３ｂがシリンダ２の下面に接しているが、図１（ａ）ではもう一組の弾性体３および高さ調整ネジ４の図示は省略した。シリンダ２はシャーシ１にネジ止めされているが、図は省略されている。また、シリンダ２には２ヶ所の穴部があり、シャーシ１にある２ヶ所の突起部と係合して略水平方向の位置をきめられているが、図は省略されている。
【００１９】
次に本発明の実施の形態１の作用について説明する。
【００２０】
シリンダ２のシャーシ１に対する傾きは、シャーシ１の凸部１ｂと２組の弾性体３の一端部３ｂ−１及び３ｂ−２により決定される。１つの高さ調整ネジ４を回転させることにより弾性体３の一端部３ａの高さが変化してシリンダ２のシャーシ１に対するある方向の傾きを調整することができる。例えば、図１（ｃ）において、一方の高さ調整ネジ４を回転させ一端部３ｂ−１の高さを変化させると、シリンダ２は一点鎖線を中心に矢印Ａのように傾きが変わる。また、他方の高さ調整ネジ４を回転させ他端部３ｂ−２の高さを変化させると、シリンダ２は二点差線を中心に矢印Ｂのように傾きが変わる。
【００２１】
弾性体３は、高さ調整ネジ４によって弾性変形させられた状態で調整されているため、高さ調整ネジ４やシャーシ１のメネジ部１ａによるガタつきは弾性体３による変形力により相殺されている。
【００２２】
以上のように本実施の形態１によれば、シャーシ１に設けられたメネジ部１ａと、シャーシ１に設けられた弾性体３と、弾性体３に設けられた孔部３ａと、孔部３ａを貫通挿入されメネジ部１ａに螺合する高さ調整ネジ４を備え、弾性体３の一端部３ｂがシリンダ２に当接することによって、高さ調整ネジの調整により高精度でシャーシに対するシリンダの取付けを実現できる。
【００２３】
また、弾性体３によって高さ調整ネジのガタが殺されているため振動等の外力が加わっても変化しない高精度のシリンダの傾きを実現できる。
【００２４】
また、弾性体３と高さ調整ネジ４を複数箇所設けることにより、自由な方向のシャーシ１に対するシリンダ２の傾きを調整することができる。
【００２５】
また、シリンダ２を取付けるためのシリンダベースを必要としないため、装置の小型化が実現できる。
【００２６】
また、弾性体とネジといった安価でかつ少部品点数で、低価格の磁気記録再生装置が実現できる。
【００２７】
なお、以上の説明では、弾性体３の一端部３ｂがシリンダ２に接するとしたが、高さ調整ネジ４の一端部がシリンダ２の下面に接してもよい。また、シリンダ２の下面はシャーシ１の凸部１ｂと２ヶ所の弾性体３の突起部３ｂ−１及び３ｂ−２に接するとしたが、シャーシ１の凸部１ｂがなく、弾性体３と高さ調整ネジ４の組み合わせが３組あり、３個の弾性体３の突起部３ｂにシリンダ２の下面が接して、シリンダ２の傾きが決まるとしてもよい。また、シャーシ１の凸部１ｂが２個あり、弾性体３と高さ調整ネジ４の組み合わせが１組あり、２個のシャーシ１の凸部１ｂと１個の弾性体の突起部３ｂにシリンダ２の下面が接して、シリンダ２の傾きが決まるとしてもよい。また、弾性体３はシャーシ１にスポット溶接されるとしたが、ネジ止めされてもよく、また、シャーシ１の弾性を利用して、弾性体３をシャーシ１と一体に構成してもよい。
【００２８】
（実施の形態２）
本発明の実施の形態２の磁気記録再生装置において特徴的な回転ヘッドを備えたシリンダのシャーシへの取り付け部の構成を説明する。
【００２９】
図２は、本発明の実施の形態２の磁気記録再生装置のシリンダのシャーシへの取り付け部の断面図である。図２において、１はシャーシで、２はシリンダ、３は弾性体で、３ａ部でシャーシ１にスポット溶接により固定されている。１ｃはシャーシ１に設けられた穴部で、３ｃは弾性体３に設けられたメネジ部である。４は高さ調整ネジで、シャーシ１の穴部１ｃを貫通した後、メネジ部３ｃに螺合している。１ｂはシャーシ１に設けられた凸部であり、シリンダ２の下面に接している。弾性体３の一端部３ｂもシリンダ２の下面に接している。弾性体３および高さ調整ネジ４は、もう一組あって、そこでも、弾性体３の一端部３ｂがシリンダ２の下面に接しているが、図１ではもう一組の弾性体３および高さ調整ネジ４は省略されている。シリンダ２はシャーシ１にネジ止めされているが、図は省略されている。また、シリンダ２には２ヶ所の穴部があり、シャーシ１にある２ヶ所の突起部と係合して略水平方向の位置をきめられているが、図は省略されている。
【００３０】
次に本発明の実施の形態２の作用について説明する。シリンダ２のシャーシ１に対する傾きはシャーシ１の凸部１ｂと２組の弾性体３の一端部３ｂにより決定される。１つの高さ調整ネジ４を回転させることにより弾性体３の一端部３ａの高さが変化してシリンダ２のシャーシ１に対するある方向の傾きを調整することができる。弾性体３は、高さ調整ネジ４によって弾性変形させられた状態で調整されているため、高さ調整ネジ４やシャーシ１のメネジ部１ａによるガタつきは弾性体３による変形力により殺されている。同様にして、別の高さ調整ネジ４を回転させることにより、シリンダ２のシャーシ１に対する別の方向の傾きを調整することができる。
【００３１】
以上のように本実施の形態２によれば、シャーシ１に設けられた穴部１ｃと、シャーシ１に設けられた弾性体３と、弾性体３に設けられたメネジ部３ｃと、穴部１ｃを貫通挿入されメネジ部３ｃに螺合する高さ調整ネジ４を備え、弾性体３の一端部３ｂがシリンダ２に当接することによって、高さ調整ネジの調整により高精度でシャーシ１に対するシリンダ２の取付けを実現できる。また、弾性体３によって高さ調整ネジのガタが殺されているため振動等の外力が加わっても変化しない高精度のシリンダ２の傾きを実現できる。また、弾性体３と高さ調整ネジ４を複数箇所設けることにより、自由な方向のシャーシ１に対するシリンダ２の傾きを調整することができる。また、シリンダ２を取付けるためのシリンダベースを必要としないため装置の小型化が実現できる。また、弾性体とネジといった安価でかつ少部品点数で、低価格の磁気記録再生装置が実現できる。
【００３２】
なお、以上の説明では、シリンダ２の下面はシャーシ１の凸部１ｂと２ヶ所の弾性体の突起部３ｂに接するとしたが、シャーシ１の凸部１ｂがなく、弾性体３と高さ調整ネジ４の組み合わせが３組あり、３個の弾性体の突起部３ｂにシリンダ２の下面が接して、シリンダ２の傾きが決まるとしてもよい。また、シャーシ１の凸部１ｂが２個あり、弾性体３と高さ調整ネジ４の組み合わせが１組あり、２個のシャーシ１の凸部１ｂと１個の弾性体の突起部３ｂにシリンダの下面が接して、シリンダ２の傾きが決まるとしてもよい。また、弾性体３はシャーシ１にスポット溶接されるとしたが、ネジ止めされてもよく、また、シャーシ１の弾性を利用して、弾性体３をシャーシ１と一体に構成してもよい。
【００３３】
（実施の形態３）
本発明の実施の形態３の磁気記録再生装置において特徴的な回転ヘッドを備えたシリンダのシャーシへの取り付け部の構成を説明する。
【００３４】
図３は、本発明の実施の形態３の磁気記録再生装置のシリンダのシャーシへの取り付け部の断面図である。図３において、１はシャーシで、２はシリンダ、５は樹脂部でシャーシ１にアウトサート成型により設けられている。１ａはシャーシ１に設けられた第１のメネジ部で、５ａは樹脂部５に設けられた第２のメネジ部である。４は高さ調整ネジで、第１のメネジ部１ａと第２のメネジ部５ａに螺合している。樹脂部５のメネジ部５ａは高さ調整ネジ４とガタがないように設定されている１ｂはシャーシ１に設けられた凸部であり、シリンダ２の下面に接している。高さ調整ネジ４の一端部４ａもシリンダ２の下面に接している。樹脂部５および高さ調整ネジ４は、もう一組あって、そこでも、高さ調整ネジ４の一端部４ａがシリンダ２の下面に接しているが、図３ではもう一組の樹脂部５および高さ調整ネジ４は省略されている。シリンダ２はシャーシにネジ止めされているが、図は省略されている。また、シリンダには２ヶ所の穴部があり、シャーシにある２ヶ所の突起部と係合して略水平方向の位置をきめられているが、図は省略されている。
【００３５】
次に本発明の実施の形態３の作用について説明する。シリンダ２のシャーシ１に対する傾きはシャーシ１の凸部１ｂと２組の高さ調整ネジ４の一端部４ａにより決定される。１つの高さ調整ネジ４を回転させることにより高さ調整ネジ４の一端部４ａの高さが変化してシリンダ２のシャーシ１に対するある方向の傾きを調整することができる。樹脂部５の第２のメネジ部５ａは高さ調整ネジ４とガタがないように設定されているため、高さ調整ネジ４やシャーシ１の第１のメネジ部１ａによるガタつきは樹脂部５のメネジ部５ａより殺されている。同様にして、別の高さ調整ネジ４を回転させることにより、シリンダ２のシャーシ１に対する別の方向の傾きを調整することができる。
【００３６】
以上のように本実施の形態３によれば、シャーシ１に設けられた第１のメネジ部１ａと、シャーシ１に設けられた樹脂部５と、樹脂部５に設けられた第２のメネジ部５ａと、第１のメネジ部１ａと第２のメネジ部５ａに螺合する高さ調整ネジ４を備え、高さ調整ネジ４の一端部４ａがシリンダ２に当接することによって、高さ調整ネジの調整により高精度でシャーシに対するシリンダの取付けを実現できる。また、樹脂部５の第２のメネジ部５ａによって高さ調整ネジ４のガタが殺されているため振動等の外力が加わっても変化しない高精度のシリンダ２の傾きを実現できる。また、樹脂部５と高さ調整ネジ４を複数箇所設けることにより、自由な方向のシャーシ１に対するシリンダ２の傾きを調整することができる。また、シリンダ２を取付けるためのシリンダベースを必要としないため装置の小型化が実現できる。また、樹脂部とネジといった安価でかつ少部品点数で、低価格の磁気記録再生装置が実現できる。
【００３７】
なお、以上の説明では、シリンダ２の下面はシャーシ１の凸部１ｂと２ヶ所の高さ調整ネジ４の一端部４ａに接するとしたが、シャーシ１の凸部１ｂがなく、樹脂部５と高さ調整ネジ４の組み合わせが３組あり、３個の高さ調整ネジ４の一端部４ａにシリンダの下面が接して、シリンダ２の傾きが決まるとしてもよい。また、シャーシ１の凸部１ｂが２個あり、樹脂部５と高さ調整ネジ４の組み合わせが１組あり、２個のシャーシ１の凸部１ｂと１個の高さ調整ネジ４の一端部４ａにシリンダの下面が接して、シリンダ２の傾きが決まるとしてもよい。また、樹脂部５はシャーシ１にアウトサート成型されるとしたが、ネジ止めされてもよい。
【産業上の利用可能性】
【００３８】
本発明は、ＶＴＲなどの磁気記録再生装置に用いられるシリンダのシャーシへの取付部に関するものである。
【図面の簡単な説明】
【００３９】
【図１】本発明の実施の形態１における磁気記録再生装置のシリンダのシャーシへの取り付け部の断面図
【図２】本発明の実施の形態２における磁気記録再生装置のシリンダのシャーシへの取り付け部の断面図
【図３】本発明の実施の形態３における磁気記録再生装置のシリンダのシャーシへの取り付け部の断面図
【図４】従来の磁気記録再生装置の構成を示す平面図
【符号の説明】
【００４０】
１    シャーシ
２    シリンダ
３    弾性体
４    高さ調整ネジ
５    樹脂部
【図１】
2005228411.tif 000003
【図２】
2005228411.tif 000004
【図３】
2005228411.tif 000005
【図４】
2005228411.tif 000006